(57)【要約】【課題】  ポインティングデバイスでの操作性をさらに高めた情報処理装置を提供する。【解決手段】  表示部（２５０）に画像を表示する表示処理部（２４０）と、入力操作を検出する操作検出部（２３０）と、ポインティングデバイス（リモコン１０）によって指定される座標であって、前記表示部（２５０）の表示画像に関連付けられた座標を含む平面上の座標を検出する座標検出部（２２０）と、前記ポインティングデバイス（リモコン１０）によって指定される座標が前記表示画像に関連付けられた座標（画面内領域３００の内側の座標）の領域外（例えば第１画面外領域３１０）であるときに入力操作が検出された場合に、該指定座標に応じた方向に前記画像をスクロール表示させるよう前記表示処理部（２４０）を制御する制御部（２００）と、を備えることを特徴とする情報処理装置（２０）を提供する。【選択図】  図３
2016021141.tif 000002
【特許請求の範囲】
【請求項１】
表示部に画像を表示する表示処理部と、
入力操作を検出する操作検出部と、
ポインティングデバイスによって指定される座標であって、前記表示部の表示画像に関連付けられた座標を含む平面上の座標を検出する座標検出部と、
前記ポインティングデバイスによって指定される座標が前記表示画像に関連付けられた座標の領域外であるときに入力操作が検出された場合に、該指定座標に応じた方向に前記画像をスクロール表示させるよう前記表示処理部を制御する制御部と、を備える
ことを特徴とする情報処理装置。
【請求項２】
前記制御部は、前記指定座標が前記表示画像に関連付けられた座標の領域外の第１領域内である場合に、該指定座標に最も近い前記表示画像に関連付けられた座標を前記指定座標とみなすよう処理する
ことを特徴とする請求項１に記載の情報処理装置。
【請求項３】
前記制御部は、前記指定座標が前記表示画像に関連付けられた座標の領域外である場合に、該指定座標の方向を示す画像を表示するよう前記表示処理部を制御する
ことを特徴とする請求項１または請求項２に記載の情報処理装置。
【請求項４】
前記制御部は、前記指定座標の位置に応じて前記画像のスクロール速度を変化させる
ことを特徴とする請求項１乃至請求項３のいずれか１項に記載の情報処理装置。
【請求項５】
前記制御部は、前記指定座標の位置に応じて前記画像のスクロール方向を変化させる
ことを特徴とする請求項１乃至請求項４のいずれか１項に記載の情報処理装置。
【請求項６】
前記制御部は、前記画像をスクロール表示させるときの該画像のスクロールの方向と速度とを表示するよう前記表示処理部を制御する
ことを特徴とする請求項１乃至請求項５のいずれか１項に記載の情報処理装置。
【請求項７】
前記表示画像は、それぞれがスクロール表示されうる複数の画像領域に分割されており、
前記制御部は、選択されている画像領域に応じて前記スクロール表示の内容を変化させる
ことを特徴とする請求項１乃至請求項６のいずれか１項に記載の情報処理装置。
【請求項８】
前記制御部は、前記第１領域と、前記表示画像に関連付けられた座標の領域及び前記第１領域の領域より外側の領域との間で、ヒステリシスを持たせるよう処理する
ことを特徴とする請求項２に記載の情報処理装置。
【発明の詳細な説明】
【技術分野】
【０００１】
本発明の一態様は、ポインティングデバイスによって操作される情報処理装置などに関する。
【背景技術】
【０００２】
従来から、マウス、またはタッチパネルなどのポインティングデバイスによって操作される装置がある。このような装置において、画面上に画面スクロール用の操作領域が表示され、この操作領域をポインティングデバイスによって指定するボタン操作が行われることで表示画面のスクロール操作が行われることがある。このとき、利便性を向上させるため、スクロール速度、及び方向を、ポインティング位置またはボタン操作により調整できることがある。例えば、特許文献１乃至特許文献３には、このような従来の画面スクロールに関する技術が開示されている。
【先行技術文献】
【特許文献】
【０００３】
【特許文献１】特開平７−１６８５５４号公報
【特許文献２】特開２０００−１６５７４５号公報
【特許文献３】特開２００３−８４８８３号公報
【発明の概要】
【発明が解決しようとする課題】
【０００４】
しかしながら、上記従来の技術では、操作の際に空中保持する必要がある、ジャイロセンサを搭載した所謂ジャイロリモコンにおける操作が想定されていなかった。すなわち、このようなジャイロリモコンでは、ポインティング位置にずれが生じやすいため、このずれを想定した装置が必要となる。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
表示部（２５０）に画像を表示する表示処理部（２４０）と、
入力操作を検出する操作検出部（２３０）と、
ポインティングデバイス（リモコン１０）によって指定される座標であって、前記表示部（２５０）の表示画像に関連付けられた座標を含む平面上の座標を検出する座標検出部（２２０）と、
前記ポインティングデバイス（リモコン１０）によって指定される座標が前記表示画像に関連付けられた座標（画面内領域３００の内側の座標）の領域外（例えば第１画面外領域３１０）であるときに入力操作が検出された場合に、該指定座標に応じた方向に前記画像をスクロール表示させるよう前記表示処理部（２４０）を制御する制御部（２００）と、を備える
ことを特徴とする情報処理装置（２０）である。
【０００７】
上記構成の情報処理装置（２０）によれば、ポインティングデバイスによるスクロール操作が実行できる領域を、表示画像に関連付けられた座標（画面内領域３００の内側の座標）の領域外（第１画面外領域３１０）まで拡大することにより、ユーザによるスクロール操作を実行しやすくすることができる。
【０００８】
本発明の手段２は、
前記制御部（２００）は、前記指定座標が前記表示画像に関連付けられた座標の領域外の第１領域内（第１画面外領域３１０）である場合に、該指定座標に最も近い前記表示画像に関連付けられた座標を前記指定座標とみなすよう処理する
ことを特徴とする手段１の情報処理装置（２０）である。
【０００９】
上記構成の情報処理装置（２０）によれば、ユーザによる表示画像の端部の選択を容易にすることができる。
【００１０】
本発明の手段３は、
前記制御部（２００）は、前記指定座標が前記表示画像に関連付けられた座標（画面内領域３００の内側の座標）の領域外である場合に、該指定座標の方向を示す画像（方向表示４２１、４３１、４６１）を表示するよう前記表示処理部を制御する
ことを特徴とする手段１または手段２の情報処理装置（２０）である。
【００１１】
上記構成の情報処理装置（２０）によれば、画面領域外のポインティング位置をユーザが容易に認識することができる。
【００１２】
本発明の手段４は、
前記制御部（２００）は、前記指定座標の位置に応じて前記画像のスクロール速度を変化させる
ことを特徴とする手段１乃至手段３のいずれかの情報処理装置（２０）である。
【００１３】
上記構成の情報処理装置（２０）によれば、ユーザがスクロール速度を変更させる操作をしやすくなり、操作性を向上させることができる。
【００１４】
本発明の手段５は、
前記制御部（２００）は、前記指定座標の位置に応じて前記画像のスクロール方向を変化させる
ことを特徴とする手段１乃至手段４のいずれかの情報処理装置（２０）である。
【００１５】
上記構成の情報処理装置（２０）によれば、ユーザがスクロール方向を指定しやすくなり、操作性を向上させることができる。
【００１６】
本発明の手段６は、
前記制御部（２００）は、前記画像をスクロール表示させるときの該画像のスクロールの方向と速度とを表示（矢印４４１、４５１、４７１）するよう前記表示処理部を制御する
ことを特徴とする手段１乃至手段５のいずれかの情報処理装置（２０）である。
【００１７】
上記構成の情報処理装置（２０）によれば、ユーザがスクロールの方向及び速度を認識し易くなり、操作性を向上させることができる。
【００１８】
本発明の手段７は、
前記表示画像は、それぞれがスクロール表示されうる複数の画像領域に分割されており（図８及び図９参照）、
前記制御部（２００）は、選択されている画像領域に応じて前記スクロール表示の内容を変化させる
ことを特徴とする手段１乃至手段６のいずれかの情報処理装置（２０）である。
【００１９】
上記構成の情報処理装置（２０）によれば、さらに操作性を向上させることができる。
【００２０】
本発明の手段８は、
前記制御部（２００）は、前記第１領域（第１画面外領域３１０）と、前記表示画像に関連付けられた座標の領域及び前記第１領域の領域より外側の領域（第２画面外領域３２０）との間で、ヒステリシス特性を持たせるよう処理する
ことを特徴とする手段２の情報処理装置（２０）である。
【００２１】
上記構成の情報処理装置（２０）によれば、さらに操作性を向上させることができる。
【図面の簡単な説明】
【００２２】
【図１】リモコン及び情報処理装置の構成例を示す図。
【図２】ポインティングデバイスで指定される座標の具体例を示す図。
【図３】実施形態１の指定座標と画面表示との対比の具体例を示す図。
【図４】実施形態１の指定座標と画面表示との対比の具体例を示す図。
【図５】実施形態１の指定座標と画面表示との対比の具体例を示す図。
【図６】実施形態２の指定座標と画面表示との対比の具体例を示す図。
【図７】実施形態２の指定座標と画面表示との対比の具体例を示す図。
【図８】実施形態３の指定座標と画面表示との対比の具体例を示す図。
【図９】実施形態４の指定座標と画面表示との対比の具体例を示す図。
【発明を実施するための形態】
【００２３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システムの構成例
（２）動作例
２．実施形態２
３．実施形態３
４．実施形態４
５．補足事項
６．本発明の特徴
【００２４】
＜１．実施形態１＞
まず、本発明の実施形態１について、図１乃至図５を参照しながら説明する。なお、以下の説明では、本実施形態で特徴的な部分についてのみ説明しており、一般的なシステムにおいて処理される内容についてはその説明を省略している。
【００２５】
＜（１）システムの構成例＞
図１は、本実施形態のリモコン１０及び情報処理装置２０を含むシステムの具体例を示す図である。テレビなどの情報処理装置２０は、所謂ジャイロリモコンであるリモコン１０により操作される。ユーザは、リモコン１０を情報処理装置２０の表示部に向けてカーソルの移動などを実行することができ、これにより直感的な操作が可能となっている。
【００２６】
＜リモコン１０＞
図１に示されるように、リモコン１０は、制御部１００、無線送信部１１０、ジャイロセンサ１２０、及び操作検出部１３０を含んで構成される。
【００２７】
＜制御部１００＞
制御部１００は、リモコン１０における種々の処理を実行可能に構成された制御手段であり、操作検出部１３０で検出されたユーザによるボタン操作、またはジャイロセンサ１２０により検出された角速度などに基づいて、無線送信部１１０を制御するよう構成される。
【００２８】
具体的には、制御部１００は、ジャイロセンサ１２０で検出された角速度の情報に基づいて所定の座標移動情報を生成し、無線送信部１１０から情報処理装置２０に対して送信する。また、操作検出部１３０で検出されたユーザによるボタン操作に基づいて、このボタン操作に対応する操作情報を無線送信部１１０から情報処理装置２０に対して送信する。座標移動情報は、ジャイロセンサ１２０によって検出された、リモコン１０の変位に関する情報に基づいて、Ｘ軸方向及びＹ軸方向のそれぞれに対する移動情報を含んでいる。例えば、ユーザがリモコン１０を情報処理装置２０に対して右上に振ると、この操作に応答してジャイロセンサ１２０によって検出された角速度情報に基づいて、Ｘ軸方向及びＹ軸方向にそれぞれ所定量だけ加算する座標移動情報が生成される。一方、ユーザがリモコン１０を情報処理装置２０に対して左下に振ると、この操作に応答してジャイロセンサ１２０によって検出された角速度情報に基づいて、Ｘ軸方向及びＹ軸方向にそれぞれ所定量だけ減算する座標移動情報が生成される。
【００２９】
＜無線送信部１１０＞
無線送信部１１０は、無線ＬＡＮまたはＩＲ（赤外線）通信などの無線通信により、情報処理装置２０に対して座標移動情報及び操作情報を送信するよう構成される。ここでの無線通信方式は種々の方式を適用可能である。
【００３０】
＜ジャイロセンサ１２０＞
ジャイロセンサ１２０は、リモコン１０に生じた変位を角速度として検出し、この角速度に関する情報を制御部１００に出力するよう構成される。
【００３１】
＜操作検出部１３０＞
操作検出部１３０は、ユーザによる、リモコン１０に設けられたボタンに対する操作を検出し、検出したボタン操作に関する情報を制御部１００に出力するよう構成される。
【００３２】
＜情報処理装置２０＞
情報処理装置２０は、制御部２００、無線受信部２１０、座標検出部２２０、操作検出部２３０、表示処理部２４０、及び表示部２５０を含んで構成される。情報処理装置２０は、例えば、テレビ、モニタ、またはＰＣ（Ｐｅｒｓｏｎａｌ  Ｃｏｍｐｕｔｅｒ）などの装置である。
【００３３】
＜制御部２００＞
制御部２００は、情報処理装置２０における種々の処理を実行可能に構成された制御手段であり、無線受信部２１０で受信した信号に基づいて、座標検出部２２０、操作検出部２３０、及び表示処理部２４０を制御するよう構成される。
【００３４】
制御部２００は、無線受信部２１０から入力された、座標移動情報及び操作情報を、それぞれ座標検出部２２０及び操作検出部２３０に出力する。そして、制御部２００は、座標検出部２２０及び操作検出部２３０からの入力に基づいて、表示処理部２４０を制御して、表示部２５０に表示される表示画像を制御する。これらの具体的な処理については後述する。
【００３５】
＜無線受信部２１０＞
無線受信部２１０は、無線ＬＡＮまたはＩＲ（赤外線）通信などの無線通信により、リモコン１０の無線送信部１１０から送信された座標移動情報及び操作情報を受信し、受信したこれらの情報を制御部２００に出力するよう構成される。
【００３６】
＜座標検出部２２０＞
座標検出部２２０は、制御部２００から入力された座標移動情報に基づいて、この時点での指定座標に対する演算を実行して新たな指定座標を取得し、取得した新たな指定座標に関する情報を制御部２００に出力するよう構成される。
【００３７】
＜操作検出部２３０＞
操作検出部２３０は、制御部２００から入力された操作情報に基づいて、この操作情報に関連付けられた処理の内容を示す情報を制御部２００に出力するよう構成される。例えば、リモコン１０で所定の選択ボタンを押下されたことを示す操作情報に基づいて、選択処理を示す情報を制御部２００に出力する。これに応答して、制御部２００では選択処理が実行される。
【００３８】
＜表示処理部２４０＞
表示処理部２４０は、制御部２００の制御により、表示部２５０に所定の画像（表示画像）を表示させるよう構成される。
【００３９】
＜表示部２５０＞
表示部２５０は、ＬＣＤ（液晶ディスプレイ）や有機ＥＬディスプレイなどであり、表示処理部２４０から入力された信号に基づいて、ユーザに視認できるような状態で画像を表示するよう構成される。
【００４０】
＜（２）動作例＞
次に、本実施形態のリモコン１０及び情報処理装置２０を含むシステムでの動作例について説明する。本実施形態での特徴部分は、ポインティングデバイスとしてのリモコン１０による座標指定と、この座標指定に基づく表示部２５０での表示に特徴がある。下記の説明で、リモコン１０により指定された位置とは、リモコン１０から送信された情報により示される座標上の位置を指す。また、このリモコン１０により指定された位置をポインティング位置と呼ぶことがある。
【００４１】
図２は、表示部２５０に表示される画像に関連付けられた座標を含む、リモコン１０の操作で指定可能な表面上の座標を示す図である。図２では、内側に示された領域から順に、画面内領域３００、第１画面外領域３１０、そして第２画面外領域３２０に分けられる。画面内領域３００は、表示部２５０の表示画像と一対一に対応する。
【００４２】
図２に示される画面内領域３００、第１画面外領域３１０、及び第２画面外領域３２０は、それぞれ図２に示されるような座標によって区分される。すなわち、画面内領域３００は、Ｘ座標の範囲がｓＸｍｉｎ〜ｓＸｍａｘ、Ｙ座標の範囲がｓＹｍｉｎ〜ｓＹｍａｘとなる。第１画面外領域３１０は、Ｘ座標の範囲がａ１Ｘｍｉｎ〜ａ１Ｘｍａｘ、Ｙ座標の範囲がａ１Ｙｍｉｎ〜ａ１Ｙｍａｘのとなる。第２画面外領域３２０は、Ｘ座標の範囲がａ２Ｘｍｉｎ〜ａ２Ｘｍａｘ、Ｙ座標の範囲がａ２Ｙｍｉｎ〜ａ２Ｙｍａｘとなる。ここでは、図２の左下位置である、Ｘ軸ではａ２Ｘｍｉｎ、Ｙ軸ではａ２Ｙｍｉｎのそれぞれの値が最も小さな値となる。
【００４３】
図３は、リモコン１０により指定される座標位置と、表示部２５０における画面表示の対応を示す図である。図３の上図はリモコン１０により指定される座標上の位置を示しており、下図は表示部２５０の表示例を示す。
【００４４】
図３に示されるように、リモコン１０により指定される座標位置が、座標（ｘ、ｙ）のポインティング位置４００である場合、表示部２５０には、座標（ｘ−ｓＸｍｉｎ，ｙ−ｓＹｍｉｎ）の位置にカーソル４０２が表示される。この、ポインティング位置の座標（ｘ、ｙ）と、表示部２５０の表示画面上の座標（ｘ−ｓＸｍｉｎ，ｙ−ｓＹｍｉｎ）とは一体一に対応する位置関係である。ポインティング位置に基づく表示部２５０での表示は、制御部２００により制御される。
【００４５】
一方で、リモコン１０により指定される座標位置が、座標（ｘ２、ｙ２）のポインティング位置４１０である場合、この座標は第１画面外領域３１０であるため、この座標は画面内領域３００の中の座標に変換される。具体的には、この座標（ｘ２、ｙ２）は、Ｘ軸方向でのみ画面内領域３００の外側に位置しているため、そのＸ座標が（ｓＸｍｉｎ）に変換され、その結果、変換後の座標は（ｓＸｍｉｎ、ｙ２）となる（カーソル位置４１１参照）。この座標変換処理は、制御部２００における演算処理により実行される。そして、表示部２５０には、座標（０、ｙ２−ｓＹｍｉｎ）の位置にカーソル４１２が表示される。
【００４６】
図４及び図５は、リモコン１０により指定される座標位置と、表示部２５０における画面表示の対応を示す図である。図４及び図５では、表示部２５０にページ送りアイコン４２２または４３２が表示され、表示部２５０の表示画像をスクロール表示する機能について説明する。
【００４７】
図４に示されるように、リモコン１０により指定される座標位置が、第２画面外領域３２０のポインティング位置４２０である場合、表示部２５０には、このポインティング位置４２０のＸ座標に対応し、Ｙ座標の位置が画面内領域の端部となる位置（ポインティング位置４２０に最も近い画面内領域３００の位置）に、方向表示４２１が表示される。また、表示部２５０の上方にはページ送りアイコン４２２が表示される。この状態で、ユーザがリモコン１０の所定のボタンを押下する操作を行うと、この操作に応答して、制御部２００は表示部２５０に表示された画像を上方向にスクロールさせるよう、表示処理部２４０を制御する。これによって、ユーザは表示部２５０に表示された画像をスクロールさせながら見ることができる。
【００４８】
また、図５に示されるように、リモコン１０により指定される座標位置が、第２画面外領域３２０のポインティング位置４３０である場合、表示部２５０には、このポインティング位置４３０のＹ座標に対応し、Ｘ座標の位置が画面内領域の端部となる位置（ポインティング位置４３０に最も近い画面内領域３００の位置）に、方向表示４３１が表示される。また、表示部２５０の右側にはページ送りアイコン４３２が表示される。この状態で、ユーザがリモコン１０の所定のボタンを押下する操作を行うと、この操作に応答して、制御部２００は表示部２５０に表示された画像を右方向にスクロールさせるよう、表示処理部２４０を制御する。
【００４９】
情報処理装置２０の制御部２００は、上記のような処理を行うことで、ユーザのリモコン１０による操作の操作性を高めることができる。
【００５０】
＜２．実施形態２＞
次に、本発明の実施形態２について、図６及び図７を参照しながら説明する。本実施形態は、システム構成は実施形態１と同様であるが、新たな動作が追加されている。以下の説明では、この動作について具体的に説明する。
【００５１】
図６及び図７は、リモコン１０により指定される座標位置と、表示部２５０における画面表示の対応を示す図である。図６及び図７では、表示部２５０に表示画面領域外にあるポインティング位置（仮想的なカーソル位置）を示す矢印４４１または４５１が表示される機能について説明する。
【００５２】
図６に示されるように、リモコン１０により指定される座標位置が、第２画面外領域３２０のポインティング位置４４０である場合、表示部２５０には、このポインティング位置４４０のＸ座標の位置が画面内領域の端部となる位置で、Ｙ座標に対応する位置（ポインティング位置４４０に最も近い画面内領域３００の位置）を示すように、矢印４４１が表示される。この矢印４４１の長さは、ポインティング位置４４０の画面内領域３００からの距離に応じて長くなるよう決定される。
【００５３】
また、図７に示されるように、リモコン１０により指定される座標位置が、第２画面外領域３２０のポインティング位置４５０である場合、表示部２５０には、このポインティング位置４５０に最も近い画面内領域３００の位置である、画面内領域３００の右下隅の位置に、矢印４５１が表示される。この矢印４５１は、上記のポインティング位置４４０の画面内領域３００からの距離よりも短いため、矢印４４１よりも短くなるよう表示される。
【００５４】
情報処理装置２０の制御部２００は、上記のような処理を行うことで、ユーザがリモコン１０によるポインティング位置を認識し易くし、操作性を高めることができる。
【００５５】
＜３．実施形態３＞
次に、本発明の実施形態３について、図８を参照しながら説明する。本実施形態は、システム構成は実施形態１と同様であるが、新たな動作が追加されている。以下の説明では、この動作について具体的に説明する。
【００５６】
図８は、リモコン１０により指定される座標位置と、表示部２５０における画面表示の対応を示す図である。図８では、表示部２５０が複数の（２の）画像領域に分割され、それぞれにスクロール可能な画像が表示されている。ユーザは、リモコン１０を操作することで、これらの画像領域を個別にスクロール表示する処理を行うことができる。
【００５７】
図８に示されるように、表示部２５０の表示画像は画像領域５０１及び５１１に分割されている。これらの画像領域５０１及び５１１は、リモコン１０により指定される座標位置の領域５００及び５１０に対応する。画像領域５０１には上下方向にスクロール可能な画像が表示され、画像領域５１１には全方向（上下左右方向）にスクロール可能な画像が表示されているものとする。ユーザは、リモコン１０を操作することでこれらの画像領域５０１及び５１１のいずれか一方を選択することができ、いずれか一方の画像領域が選択されているときに、この選択された画像のスクロール表示を実行可能である。表示部２５０に表示される選択された画像領域は強調表示される。
【００５８】
図８に示されるように、画像領域５０１が選択されている状態では、表示部２５０では画像領域５０１が強調枠５２０で囲まれることで強調表示されている。このとき、リモコン１０により指定される座標位置が第２画面外領域３２０のポインティング位置４６０である場合、表示部２５０には、このポインティング位置４６０のＸ座標に対応し、Ｙ座標の位置が画面内領域の端部となる位置（ポインティング位置４６０に最も近い画面内領域３００の位置）を示すように、方向表示４６１が表示される。さらに、表示部２５０の上方にはページ送りアイコン４６２が表示される。このページ送りアイコン４６２は、画像領域５０１に対応している。この状態で、ユーザがリモコン１０の所定のボタンを押下する操作を行うと、この操作に応答して、制御部２００は表示部２５０の画像領域５０１に表示された画像を上方向にスクロールさせるよう、表示処理部２４０を制御する。これによって、ユーザは表示部２５０の画像領域５０１に表示された画像を、所定の方向にスクロールさせながら見ることができる。
【００５９】
＜４．実施形態４＞
次に、本発明の実施形態４について、図９を参照しながら説明する。本実施形態は、システム構成は実施形態１と同様であるが、新たな動作が追加されている。本実施形態での動作は、画像領域が分割され、選択された画像領域に対する処理を実行可能である点で実施形態３と同様である。また、本実施形態での動作は、画面内領域３００の外側のポインティング位置に対応した矢印が画面表示される点で実施形態２と同様である。
【００６０】
図９は、リモコン１０により指定される座標位置と、表示部２５０における画面表示の対応を示す図である。図９に示されるように、画像領域５１１が選択されている状態で、リモコン１０により指定される座標位置が第２画面外領域３２０のポインティング位置４７０である場合、表示部２５０には、強調枠５２０が表示されまた、このポインティング位置４３０に最も近い画面内領域３００の位置である右下端の位置に、矢印４７１が表示される。
【００６１】
＜５．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６２】
上記実施形態は、それぞれ組み合わせて実行されてもよい。具体的には、実施形態１と実施形態２とを組み合わせ、ページ送りアイコンと、ポインティング位置を示唆する矢印とを同時に表示部２５０に表示するような構成としてもよい。その他、各実施形態は種々の組み合わせによって実行されてもよい。
【００６３】
上記実施形態では、ジャイロセンサ１２０を備えるリモコン１０（所謂ジャイロリモコン）による情報処理装置２０の操作を例に挙げて説明したが、必ずしもこの形態に限定されるものではなく、ポインティングデバイスを利用するシステムまたは装置に適用してもよい。例えば、リモコン１０はジャイロセンサ１２０を利用して座標を指定する構成ではなく、光源によって示される座標ガイドを光学的に取得し、座標ガイドの位置に基づいて座標を指定するような構成であってもよい。また、ジャイロセンサ１２０に代えて、加速度センサを備える構成であってもよい。さらに、マウスやタッチパッドなどのポインティングデバイスに適用してもよい。ただし、本発明は、ポインティング位置がずれやすいジャイロリモコンのような装置で特に効果を奏する。
【００６４】
さらに、上記実施形態において、第１画面外領域３１０と第２画面外領域３２０との間で、ヒステリシス特性を持たせることがより好ましい。具体的には、ポインティング位置が第１画面外領域３１０から第２画面外領域３２０に移動した場合には、第２画面外領域３２０にポインティング位置が移動してから一定距離は、ポインティング位置が第１画面外領域３１０にあるものとして処理する。逆に、ポインティング位置が第２画面外領域３２０から第１画面外領域３１０に移動した場合には、第１画面外領域３１０にポインティング位置が移動してから一定距離は、ポインティング位置が第２画面外領域３２０にあるものとして処理する。このようなヒステリシス特性を持たせることにより、第１画面外領域３１０と第２画面外領域３２０との境界付近での操作をより行いやすくすることができる。
【００６５】
また、情報処理装置２０に含まれる表示部２５０は、情報処理装置２０とは別構成であってもよい。この場合、情報処理装置２０はＳＴＢ（セット・トップ・ボックス）または光ディスクプレイヤーなどであり、表示部を備えるテレビまたはモニタに接続される。
【００６６】
＜６．本発明の特徴＞
以上、説明したような構成の映像送受信システムに含まれる特徴的な装置及び方法は、以下のようなものである。
【００６７】
まず、本発明の情報処理装置２０は、表示部２５０に画像を表示する表示処理部２４０と、入力操作を検出する操作検出部２３０と、ポインティングデバイス（リモコン１０）によって指定される座標であって、表示部２５０の表示画像に関連付けられた座標を含む平面上の座標を検出する座標検出部２２０と、ポインティングデバイス（リモコン１０）によって指定される座標が表示画像に関連付けられた座標（画面内領域３００の内側の座標）の領域外（例えば第１画面外領域３１０）であるときに入力操作が検出された場合に、該指定座標に応じた方向に前記画像をスクロール表示させるよう表示処理部２４０を制御する制御部２００と、を備えることを特徴とする。
【００６８】
上記構成の情報処理装置２０によれば、ポインティングデバイスによるスクロール操作が実行できる領域を、表示画像に関連付けられた座標（画面内領域３００の内側の座標）の領域外（第１画面外領域３１０）まで拡大することにより、ユーザによるスクロール操作を実行しやすくすることができる。
【００６９】
また、本発明の情報処理装置２０では、制御部２００は、指定座標が表示画像に関連付けられた座標の領域外の第１領域内（第１画面外領域３１０）である場合に、該指定座標に最も近い前記表示画像に関連付けられた座標を前記指定座標とみなすよう処理することを特徴とする。
【００７０】
上記構成の情報処理装置２０によれば、ユーザによる表示画像の端部の選択を容易にすることができる。
【００７１】
また、本発明の情報処理装置２０では、制御部２００は、指定座標が表示画像に関連付けられた座標（画面内領域３００の内側の座標）の領域外である場合に、該指定座標の方向を示す画像（方向表示４２１、４３１）を表示するよう表示処理部を制御することを特徴とする。
【００７２】
上記構成の情報処理装置２０によれば、画面領域外のポインティング位置をユーザが容易に認識することができる。
【００７３】
また、本発明の情報処理装置２０では、制御部２００は、指定座標の位置に応じて画像のスクロール速度を変化させることを特徴とする。
【００７４】
上記構成の情報処理装置２０によれば、ユーザがスクロール速度を変更させる操作をしやすくなり、操作性を向上させることができる。
【００７５】
また、本発明の情報処理装置２０では、制御部２００は、指定座標の位置に応じて画像のスクロール方向を変化させることを特徴とする。
【００７６】
上記構成の情報処理装置２０によれば、ユーザがスクロール方向を指定しやすくなり、操作性を向上させることができる。
【００７７】
また、本発明の情報処理装置２０では、制御部２００は、画像をスクロール表示させるときの該画像のスクロールの方向と速度とを表示（矢印４４１、４５１）するよう表示処理部を制御することを特徴とする。
【００７８】
上記構成の情報処理装置２０によれば、ユーザがスクロールの方向及び速度を認識し易くなり、操作性を向上させることができる。
【００７９】
また、本発明の情報処理装置２０では、表示画像は、それぞれがスクロール表示されうる複数の画像領域に分割されており（図８及び図９参照）、制御部２００は、選択されている画像領域に応じてスクロール表示の内容を変化させることを特徴とする。
【００８０】
上記構成の情報処理装置２０によれば、さらに操作性を向上させることができる。
【００８１】
また、本発明の情報処理装置２０では、制御部２００は、第１領域（第１画面外領域３１０）と、表示画像に関連付けられた座標の領域及び第１領域の領域より外側の領域（第２画面外領域３２０）との間で、ヒステリシスを持たせるよう処理することを特徴とする。
【００８２】
上記構成の情報処理装置２０によれば、さらに操作性を向上させることができる。
【産業上の利用可能性】
【００８３】
本発明は、ポインティングデバイスで操作される情報処理装置などで好適に適用される。
【符号の説明】
【００８４】
１０…リモコン
２０…情報処理装置
１００…制御部
１１０…無線送信部
１２０…ジャイロセンサ
１３０…操作検出部
２００…制御部
２１０…無線受信部
２２０…座標検出部
２３０…操作検出部
２４０…表示処理部
２５０…表示部
３００…画面内領域
３１０…第１画面外領域
３２０…第２画面外領域
４００、４１０、４２０、４３０、４４０、４５０、４６０、４７０…ポインティング位置
４１１…カーソル位置
４０２、４１２…カーソル
４２１、４３１、４６１…方向表示
４２２、４３２、４６２…ページ送りアイコン
４４１、４５１、４７１…矢印
５０１…画像領域
５１１…画像領域
５２０…強調枠
【図１】
2016021141.tif 000003
【図２】
2016021141.tif 000004
【図３】
2016021141.tif 000005
【図４】
2016021141.tif 000006
【図５】
2016021141.tif 000007
【図６】
2016021141.tif 000008
【図７】
2016021141.tif 000009
【図８】
2016021141.tif 000010
【図９】
2016021141.tif 000011